(57)【要約】【課題】ＲＦＩＤタグを取り付けたＴシャツ、ジャケット等の衣料品をハンガーに吊した状態でＲＦＩＤタグの個別認識情報をまとめて、効率よく読み取るための共振体を備えたハンガーを提供することを目的とする。【解決手段】山形状の肩部１１と、フック部１２と、補強部１３とからなる衣料品用ハンガー１０の補強部１３のほぼ中央部にキャパシタ（コンデンサ）と、インダクタンスとして作用するアンテナコイルとで構成された共振体２０を備えたハンガーである。共振体２０は、ループ状に巻かれたアンテナコイル２１とコンデンサ２２との間で閉ループを形成している。【選択図】図１
2006081794.tif 000002
【特許請求の範囲】
【請求項１】
外部読み取り装置の通信搬送周波数に共振する共振回路を具備する共振体が、ハンガーの所定位置に取り付けられていることを特徴とする共振体を備えたハンガー。
【請求項２】
前記共振体は、キャパシタ（コンデンサ）と、インダクタンスとして作用するアンテナコイルとで構成されていることを特徴とする請求項１に記載の共振体を備えたハンガー。
【発明の詳細な説明】
【技術分野】
【０００１】
本発明は、ＲＦＩＤタグのＩＤ情報を外部読み取り装置で読み取るとるために使用される共振体を備えたハンガーに関する。
【背景技術】
【０００２】
近年、商品や荷物などの物品に取り付けて当該物品の識別・管理を行うタグとして、外部からの電波通信により各種データの書き込み、読みとりを非接触で行うことができるデータキャリアシステムを内蔵したＲＦ（Radio Frequency）ＩＤタグを用いた個別認識システムが知られており、物流、流通、ＦＡ（Ｆａｃｔｏｒｙ  Ａｕｔｏｍａｔｉｏｎ）で扱われる商品や製品、荷物などの物品の管理、或いは固有の識別番号など個体識別情報を用いて真偽判別や流通経路などの特定するなどのトレーザビリティ、セキュリティにも広く使われるようになってきている。
【０００３】
特に物流、流通では個々の商品や製品の現状の把握が可能となるため、商品や製品に貼付、またはひも付けされたＲＦＩＤタグの個体識別情報を外部読み取り装置にて非接触で読み取ることにより、商品や製品の売り上げ管理及び在庫管理を効率よく行うことができ、省力化に有用な手段となっている（例えば、特許文献１参照。）。
【０００４】
しかしながら、ＲＦＩＤタグは、その使用する電磁波の周波数と読み取り装置の読み取り時の出力によって通信可能な距離が決まってしまうため、ＲＦＩＤタグの利用範囲が限られてしまう。さらに、電磁波が距離に応じて急激に減衰するため、読み取りを確実に実施するにはＲＦＩＤタグを読み取り装置のアンテナに近づけた状態で読み取る必要があり、非接触の個別認識システムの機能を半減させることになる。
【特許文献１】特開平８−４４７９４号公報
【発明の開示】
【発明が解決しようとする課題】
【０００５】
例えば、ＲＦＩＤタグを取り付けたＴシャツ、ジャケット等の衣料品をハンガーに吊した状態で店頭及び店内に展示して、衣料品販売を行うケースでは、店の規模にもよるが衣料品の種類とサイズ等の品揃えをすると、ハンガーに吊した衣料品は数万点に及ぶことになる。これらのハンガーに吊した衣料品のＲＦＩＤタグを読み取るには、読み取り装置のアンテナをＲＦＩＤタグの近傍に近づけた状態にする必要がある。これでは、従来のＯＣＲシステムとほとんど変わらず、ＲＦＩＤタグの本来の非接触で効率よく行う個別認識システムの機能が失われてしまう。
また、読み取り装置でまとめてハンガーに吊された衣料品のＲＦＩＤタグを読み取ろうとすると、ハンガーに吊されたＴシャツ、ジャケット等の衣料品のＲＦＩＤタグのアンテナの向きは一定とは限らず、読み取り感度にバラツキが発生し、読み取りエラーが発生するという問題がある。
【０００６】
本発明は、上記問題点に鑑み考案されたもので、ＲＦＩＤタグを取り付けたＴシャツ、ジャケット等の衣料品をハンガーに吊した状態でＲＦＩＤタグの個別認識情報をまとめて、効率よく読み取るための共振体を備えたハンガーを提供することを目的とする。
【課題を解決するための手段】
【０００７】
本発明において上記課題を解決するために、まず請求項１においては、外部読み取り装置の通信搬送周波数に共振する共振回路を具備する共振体が、ハンガーの所定位置に取り
付けられていることを特徴とする共振体を備えたハンガーとしたものである。
【０００８】
また、請求項２においては、前記共振体は、キャパシタ（コンデンサ）と、インダクタンスとして作用するアンテナコイルとで構成されていることを特徴とする請求項１に記載の共振体を備えたハンガーとしたものである。
【発明の効果】
【０００９】
本発明の共振体を備えたハンガーに吊されたＴシャツ、ジャケット等の衣料品のＲＦＩＤタグを外部読み取り装置にて読み取ると、通信距離が延び、また読み取り範囲も広くなり、読み取り作業効率を上げることができる。
また、ＲＦＩＤタグが取り付けられたジャケット等の衣料品が吊るされた共振体を備えたハンガー１００をハンガーラックに複数吊した状態では、外部読み取り装置のアンテナと共振体が向き合った状態となり、最も良い電磁結合状態を確保できる。
【発明を実施するための最良の形態】
【００１０】
図１は、本発明の共振体を備えたハンガーの一実施例を示す説明図である。
本発明の共振体を備えたハンガー１００は、山形状の肩部１１と、フック部１２と、補強部１３とからなる衣料品用ハンガー１０の補強部１３のほぼ中央部にキャパシタ（コンデンサ）と、インダクタンスとして作用するアンテナコイルとで構成された共振体２０を設けたものである。
共振体２０は、図２（ａ）に示すように、ループ状に巻かれたアンテナコイル２１とコンデンサ２２との間で閉ループを形成し、図２（ｂ）に示すようなインダクタンス２１とコンデンサ２２とからなる共振回路を構成している。
【００１１】
衣料品用ハンガー１０に共振体２０を設ける一つの方法としては、図３（ａ）〜（ｃ）に示すように、まず、プラスチック成型にて、補強部１３に連結したＵ字型溝１４ａが形成された共振体収納部１４を有する衣料品用ハンガー１０を作製する（図３（ａ）及び（ａ’）参照）。
次に、衣料品用ハンガー１０の共振体収納部１４に別途作製したループ状に巻かれたアンテナコイル２１とコンデンサ２２とからなる共振体２０を共振体収納部１４のＵ字型溝１４ａに埋め込む（図３（ｂ）及び（ｂ’）参照）。
さらに、共振体２０が埋め込まれた共振体収納部１４上に、別途作製したＵ字型溝１４が形成された共振体収納部１４を被せる状態で嵌合し、共振体２０を備えたハンガー１００を得る（図３（ｃ）及び（ｃ’）参照）。
【００１２】
衣料品用ハンガー１０に共振体２０を設ける別の方法としては、図４（ａ）〜（ｂ）に示すように、まず、プラスチック成型にて、補強部１３に連結した中抜きの共振体載置部１５を有する衣料品用ハンガー１０を作製する（図４（ａ）及び（ａ’）参照）。
次に、衣料品用ハンガー１０の共振体載置部１５上に、プラスチックフィルム等からなる絶縁シート３１の一方の面にループ状に巻かれたアンテナコイルとコンデンサからなる共振体２０が、他方の面に粘着剤３２が形成されたアンテナシートを中抜き加工して貼り付け、共振体２０を備えたハンガー１００を得る（図４（ｂ）及び（ｂ’）参照）。
【００１３】
本発明の共振体を備えたハンガー１００を用いてＴシャツ、ジャケット等の衣料品に取り付けられたＲＦＩＤタグ４１を外部読み取り装置にて読み取る事例について説明する。図５は、ＲＦＩＤタグ４１が取り付けられたジャケット等の衣料品５１を本発明の共振体を備えたハンガー１００に吊した状態を示す説明図である。
ジャケット等の衣料品５１に取り付けられたＲＦＩＤタグ４１は共振体を備えたハンガー１００の共振体２０と電磁結合し、共振体２０と外部読み取り装置のアンテナとがそれぞれ電磁結合することにより、ＲＦＩＤタグ４１の個別識別情報を外部読み取り装置に読み
取ることができる。
【００１４】
図６は、ＲＦＩＤタグ４１が取り付けられたジャケット等の衣料品５１が吊るされた共振体２０を備えたハンガー１００をハンガーラック６１に複数吊るした状態で外部読み取り装置７０にて個々のＲＦＩＤタグ４１の個別識別情報を読み取っている状態を示す説明図である。
図７は、外部読み取り装置７０で複数の共振体２０を読み取っている時のアンテナ７１と、共振体２０と、ＲＦＩＤタグ４１との結合状態を示す説明図である。
このように、ＲＦＩＤタグ４１と共振体２０とは近接した距離で電磁結合されており、外部読み取り装置７０のアンテナ７１と共振体２０とが電磁結合されてＲＦＩＤタグ４１の個別識別情報を外部読み取り装置７０に読み取ることになる。
ここで、ＲＦＩＤタグ４１と共振体２０とは近接した距離で電磁結合されているため、あくまでも外部読み取り装置７０のアンテナ７１と共振体２０との電磁結合を確保すれば、ＲＦＩＤタグ４１の個別識別情報を外部読み取り装置７０に容易に読み取ることができる。
【００１５】
また、図６に示すように、ＲＦＩＤタグ４１が取り付けられたジャケット等の衣料品５１が吊るされた共振体２０を備えたハンガー１００がハンガーラック６１に複数吊るされたた状態では、外部読み取り装置７０のアンテナ７１と共振体２０とはほぼ向かい合った状態で配置されるため、最も良い電磁結合状態を確保できる。
【実施例１】
【００１６】
まず、プラスチック成型にて、山形状の肩部１１と、フック部１２と、補強部１３と、補強部１３に連結されたＵ字型溝１４ａが形成された共振体収納部１４を有する衣料品用ハンガー１０を作製した（図３（ａ）及び（ａ’）参照）。
【００１７】
次に、衣料品用ハンガー１０の共振体収納部１４に別途作製したループ状に巻かれたアンテナコイル２１とコンデンサ２２とからなる共振体２０を共振体収納部１４のＵ字型溝１４ａに埋め込んだ（図３（ｂ）及び（ｂ’）参照）。
【００１８】
さらに、共振体２０が埋め込まれた共振体収納部１４上に、別途作製したＵ字型溝１４ａが形成された共振体収納部１４を被せる状態で嵌合し、共振体２０を備えたハンガー１００を得た（図３（ｃ）及び（ｃ’）参照）。
【図面の簡単な説明】
【００１９】
【図１】本発明の共振体を備えたハンガーの一実施例を示す説明図である。
【図２】（ａ）は、共振体の一実施例を示す説明図である。（ｂ）は、共振体の共振回路を示す説明図である。
【図３】（ａ）〜（ｃ）は、本発明の共振体を備えたハンガーの製造方法の一例を示す説明図である。（ａ’）〜（ｃ’）は、（ａ）〜（ｃ）の共振体部をＡ−Ａ’線で切断した模式構成断面図である。
【図４】（ａ）〜（ｂ）は、本発明の共振体を備えたハンガーの製造方法の他の例を示す説明図である。（ａ’）〜（ｂ’）は、（ａ）〜（ｂ）の共振体部をＢ−Ｂ’線で切断した模式構成断面図である。
【図５】本発明の共振体を備えたハンガーにＲＦＩＤタグ４１が取り付けられたジャケット等の衣料品５１を吊るした状態を示す説明図である。
【図６】ＲＦＩＤタグ４１が取り付けられたジャケット等の衣料品５１が吊るされた共振体２０を備えたハンガー１００がハンガーラック６１に複数吊るされた状態で読み取り装置にてＲＦＩＤタグ４１の個別識別情報を読みとっている状態を示す説明図である。
【図７】外部読み取り装置７０で複数の共振体２０を読み取っている時のアンテナ７１と、共振体２０と、ＲＦＩＤタグ４１との結合状態を示す説明図である。
【符号の説明】
【００２０】
１０……衣料品用ハンガー
１１……山形状の肩部
１２……フック部
１３……補強部
１４……共振体収納部
１４ａ……Ｕ字型溝
１５……共振体載置部
１５……
２０……共振体
２１……アンテナコイル
２１ａ……インダクタンス
２２……キャパシタ（コンデンサ）
３１……絶縁シート
３２……粘着剤
４１……ＲＦＩＤタグ
５１……衣料品
６１……ハンガーラック
７０……外部読み取り装置
７１……アンテナ
１００……共振体を備えたハンガー
Ｍ1……外部読み取り装置７０のアンテナ７１と共振体２０との電磁結合
Ｍ2……共振体２０間の電磁結合
Ｍ3……共振体２０とＲＦＩＤタグ４１との電磁結合
【図１】
2006081794.tif 000003
【図２】
2006081794.tif 000004
【図３】
2006081794.tif 000005
【図４】
2006081794.tif 000006
【図５】
2006081794.tif 000007
【図６】
2006081794.tif 000008
【図７】
2006081794.tif 000009